(57)【要約】      （修正有）【課題】長さ方向にミシン目を介して繋がっている多数枚のゴミ袋等の袋を一枚ずつ簡単に切り取って使用可能な切り取り式袋テープおよびゴミ袋ロールを提供する。【解決手段】ゴミ袋ロール１は、長さ方向に複数枚の矩形のゴミ袋２が繋がったゴミ袋テープ３をロール状に巻き取った構成のものである。先頭のゴミ袋２（１）と後続のゴミ袋２（２）の間に位置する切断部４に沿って先頭のゴミ袋を切り取ることができる。切断部は左右のミシン目４ａ、４ｂの間に長い中央スリット４ｃが形成されている。中央スリットの両端を起点として左右のミシン目を簡単に破ることができ、ゴミ袋を簡単に切り取ることができる。【選択図】図１
0003234041.tif 000002
【実用新案登録請求の範囲】
【請求項１】
長さ方向にプラスチックフィルム（６、２６）からなる複数枚の袋（２、２２）が繋がっており、
各袋（２、２２）の間には幅方向（Ｗ）に延びる切断部（４、２４）が形成されており、
先頭の袋（２（１）、２２（１））を前記切断部（４、２４）に沿って切り取ると、当該切断部（４、２４）が後続の袋（２（２）、２２（２））の開口端（２ａ、２２ａ）となり、
各切断部（４、２４）における前記幅方向（Ｗ）の中央部分には所定の長さのスリット（４ｃ、２４ｃ）が形成され、当該スリット（４ｃ、２４ｃ）の両側にミシン目（４ａ、４ｂ：２４ａ、２４ｂ）が形成されていることを特徴とする切り取り式袋テープ（３、２３）。
【請求項２】
請求項１に記載の切り取り式袋テープ（３、２３）を帯状に平らにしてロール状に巻いたことを特徴とする切り取り式袋ロール（１、２０）。
【請求項３】
各袋（２）は幅方向（Ｗ）において折り畳まれた状態で繋がっており、
各袋（２）の底は折り畳まれた状態のまま相互にプラスチックフィルムを融着しているシール部（５）によって規定されている、
請求項２に記載の切り取り式袋ロール（１）。
【請求項４】
片面エンボス加工が施されたプラスチックフィルム（２６）を用いて各袋（２２）が形成されており、
ロール状に巻き取られた状態における各袋（２２）において、巻き取り中心側あるいは巻き取り外周側の袋外側表面（２７ａ）と、巻き取り中心側あるいは巻き取り外周側の袋内側表面（２８ａ）とが、エンボス加工面とされている、
請求項２に記載の切り取り式袋ロール（２０）。
【考案の詳細な説明】
【技術分野】
【０００１】  本考案は、長さ方向にミシン目を介して繋がっている多数枚のゴミ袋等の袋を一枚ずつ切り取って使用可能な切り取り式袋テープに関する。
【背景技術】
【０００２】  特許文献１、２には、袋テープをロール状に巻き取った構成の袋ロールが提案されている。特許文献１においては、ロール状に巻き取ったゴミ袋を収納するゴミ袋梱包体がゴミ箱の底に配置される。ゴミ袋梱包体から引き出されるゴミ袋が一杯になると、ミシン目に沿って切り取り、次のゴミ袋を引き出して使用している。【０００３】  特許文献２に開示の連続式袋内蔵型ゴミ箱では、ゴミ箱容器の下部空間に袋帯ロールを収納し、引き出し口から上方に袋帯ロールを引き出して使用する。袋帯ロールには、二つ折状態で、長さ方向に繋がっている袋が巻き取られている。袋帯ロールにおける各袋の間のミシン目に沿って１枚ずつ袋を切り取ることができる。
【先行技術文献】
【特許文献】
【０００４】
【特許文献１】実開平２−１３５５０３号公報
【特許文献２】実開昭６２−１９１７０１号公報
【考案の概要】
【０００５】  ミシン目を介して長さ方向に多数枚の袋が繋がった構成の袋テープは、取り扱いが容易であり、ゴミ箱等へのセットも簡単に行うことができる。しかしながら、各袋をミシン目に沿って切り取る作業が必要である。この切り取り作業を簡単に行えるようにするには、ミシン目を付けた袋テープの部位の引き裂き強度を小さくしておけばよい。ミシン目の強度が小さ過ぎると、先頭の袋を引き出してゴミ箱などにセットする操作において、この袋と後続の袋の間のミシン目が簡単に破れて切り離されてしまうので好ましくない。ミシン目の強度が大きすぎると、袋を切り取るために大きな力を必要とし、袋の切り取り時に、袋自体に破れ等が発生するおそれもある。よって、袋の切り取り作業を容易に行うことができ、かつ、不用意にミシン目が切断されないようにする必要がある。
【０００６】  また、容量の大きなゴミ袋等の場合には、これを繋げた袋テープは幅が広く、これを巻き取った袋ロールも長いものとなってしまい、取り扱い等が不便になる。特許文献２においては、二つ折りにしてロール状に巻き取ることにより、ロールの長さを短くしている。しかしながら、単に二つ折にしているだけなので、先頭の袋がロールから引き出されて広げられると後続の袋も広がってしまう。先頭の袋の引き出し時に後続の袋の一部もロールから引き出される。引き出されて広がってしまった後続の袋を、再び二つ折状態に戻してロールに巻き付けることは面倒である。
【０００７】      さらに、袋は薄いプラスチックフィルムから形成されている。袋ロールにおける先頭の袋の先端がロール外周面に密着して、簡単に引き出すことができない場合がある。また、引き出された袋の口が密着して、簡単に広げることができない場合がある。
【０００８】  本考案の課題は、このような点に鑑みて、袋の切り取りを適切に行うことのできる切り取り式の袋テープおよび袋ロールを提供することにある。
【０００９】  また、本考案の課題は、広幅の袋が適切に折りたたまれた状態で繋がっている狭い幅の袋テープおよび短い袋ロールを提供することにある。
【００１０】  さらに、本考案の課題は、袋を簡単に引き出すことができ、引き出した袋の口を簡単に開けることのできる袋テープおよび袋ロールを提供することにある。
【課題を解決するための手段】
【００１１】      上記の課題を解決するために、本考案の切り取り式の袋テープは、
長さ方向にプラスチックフィルムからなる複数枚の袋が繋がっており、
各袋の間には幅方向に延びる切断部が形成されており、
先頭の袋を前記切断部に沿って切り取ると、当該切断部が後続の袋の開口端となり、
各切断部における前記幅方向の中央部分には所定の長さのスリットが形成され、当該スリットの両側にミシン目が形成されていることを特徴としている。【００１２】  本考案の切り取り式の袋テープにおいては、各切断部の幅方向の中央部分に所定長さのスリットが形成されている。従来においては、ミシン目の幅方向の一端からミシン目に沿って袋テープを簡単に破ることができない場合がある。特に、プラスチックフィルム等の場合には伸縮性があるので、ミシン目に沿って袋テープを簡単に破れない場合がある。【００１３】  本考案では、切断部の中央部分にスリットが形成されており、切断部に対して長さ方向に力を加えると、スリットが開き、その両端を起点として左右のミシン目を簡単に破ることができる。また、スリットに指を掛けて左右のミシン目を簡単に破ることもできる。よって、袋を小さな力で簡単に切り取ることができる。【００１４】  次に、本考案の切り取り式の袋ロールは、上記構成の切り取り式袋テープを帯状に平らにしてロール状に巻いたことを特徴としている。【００１５】  この場合、各袋は幅方向において折り畳まれた状態で繋がっており、各袋の底は折り畳まれた状態のまま相互にプラスチックフィルムを融着しているシール部によって規定されていることが望ましい。【００１６】  袋を引き出した際に、後続の袋は引き出された袋の底の部分に連続しているので、折り畳まれた状態に保持され、広がってしまうことが無い。後続の袋を簡単に巻き戻すことができる。また、後続の袋が広がってしまい、周囲の部分に干渉して詰まってしまう等の弊害も発生しない。【００１７】  次に、本考案の袋ロールでは、片面エンボス加工が施されたプラスチックフィルムを用いて各袋が形成されており、ロール状に巻き取られた状態における各袋において、巻き取り中心側あるいは巻き取り外周側の袋外側表面と、巻き取り中心側あるいは巻き取り外周側の袋内側表面とが、エンボス加工面とされていることが望ましい。【００１８】  袋ロールの袋テープはエンボス加工面を介して相互に接触した状態で巻き取られている。したがって、先頭の袋を引き出す際に、袋がロール表面に密着して簡単に引き出すことができないという弊害を回避できる。また、引き出した袋においては、その内側の一方の袋内側表面がエンボス加工面となっているので、袋の口を簡単に開くことができる。【００１９】  一方、上記構成の袋ロールは例えば次のように使用すればよい。すなわち、上記構成の切り取り式袋ロールを、上方に開口する箱の底面に配置する。前記切り取り式袋ロールから先頭の第１の袋を上方に引き出す。当該第１の袋の開口端を広げて、前記箱の開口縁端を覆う状態に当該開口縁端に掛ける。前記第１の袋に所定の収容物を収容する。収容物が収容された前記第１の袋を前記箱の開口縁端から外し、当該第１の袋を上方に引き上げて前記箱から取り出して前記切断部に沿って前記袋ロールから切り取る。前記第１の袋の引き上げによって前記袋ロールから上方に引き出された後続の第２の袋の開口端を広げて前記箱の開口縁端に掛け、当該第２の袋に収容物を収容する。この手順で順次に袋を使用すればよい。
【図面の簡単な説明】
【００２０】
【図１】本考案を適用したゴミ袋ロールの一例を示す説明図である。
【図２】図１のゴミ袋ロールの変形例を示す説明図である。
【図３】図１のゴミ袋ロールの使用例を示す説明図である。
【図４】本考案を適用した袋ロールの別の例を示す説明図である。
【考案を実施するための形態】
【００２１】      以下に、図面を参照して、本考案を適用した実施の形態を説明する。
【００２２】（実施の形態１：ゴミ袋ロール）
図１（ａ）は本考案を適用したゴミ袋ロールを示す説明図であり、図１（ｂ）はゴミ袋テープを広げた状態を示す説明図である。本実施の形態のゴミ袋ロール１は、長さ方向Ｌに多数枚の矩形のゴミ袋２（２（１）、２（２）・・・）が繋がった構成のゴミ袋テープ３をロール状に巻き取ったものである。各ゴミ袋２の間には、それぞれ、幅方向Ｗの全体に亘って直線状に延びる切断部４が形成されている。
【００２３】      各切断部４に対して、ゴミ袋テープ３の先頭側に一定距離だけ離れた部位には、各ゴミ袋２の底を規定している幅方向Ｗの全体に亘って直線状に延びる熱融着されたシール部５が形成されている。先頭側のゴミ袋２（１）は、後続のゴミ袋２（２）との間に位置する切断部４に沿って切り取ることができる。先端側のゴミ袋２（１）を切り取ると、切断部４が後続の袋２（２）の開口端となる。
【００２４】      各切断部４は、幅方向Ｗの両側に形成された左右のミシン目４ａ、４ｂと、これらの間に形成された所定長さの中央スリット４ｃから構成されている。ミシン目４ａ、４ｂを構成している短い長さのミシン目スリット４ｄに比べて中央スリット４ｃは十分に長い。
【００２５】  ここで、ゴミ袋テープ３は、筒状に形成したプラスチックフィルム６、例えばポリエチレンフィルムから形成されている。筒状のプラスチックフィルム６はその幅方向において複数に折り畳まれている。本例では、図に示すように、長さ方向Ｌに平行に延びる６本の折り目６ａ〜６ｆに沿って折り畳まれている。これにより、単に、帯状に平坦にした場合の幅Ｗ１に比べて幅Ｗ２が１／３と短くなっている。また、各ゴミ袋２の底を規定しているシール部５は、プラスチックフィルム６を折り畳まれた状態のままで、折り畳まれた各部を相互に接合している熱融着部である。
【００２６】  本例のゴミ袋２は、長さ方向Ｌに延びる筒状のプラスチックフィルム６を６つの折り目６ａ〜６ｆに沿って折り畳んでいる。この代わりに、例えば、図２（ａ）に示すように、４つの折り目に沿って折り畳んで、幅を１／２Ｗ１にすることができる。また、図２（ｂ）に示すように、８つの折り目に沿って折り畳んで幅を１／４Ｗ１にすることもできる。
【００２７】  図３は、ゴミ袋ロール１の使用例を示す説明図である。例えば、上方に広がる円錐台状のゴミ箱１０を用意する。ゴミ袋ロール１を、ゴミ箱１０の内部の底面１１に置き、ゴミ袋ロール１から先頭のゴミ袋２（１）を上方に引き出す。図３（ａ）には、この状態を示してある。
【００２８】  次に、ゴミ袋２（１）の開口端２ａを広げ、当該開口端２ａを、ゴミ箱１０の開口縁端１２を覆う状態に、当該開口縁端１２に掛ける。図３（ｂ）にはこの状態を示してある。このようにゴミ袋２（１）をゴミ箱１０にセットした後は、ゴミ袋２（１）にゴミが収容される。
【００２９】  ゴミ袋２（１）がゴミで満杯になった後は、ゴミ袋２（１）の口を縛り、ゴミ箱１０から上方に取り出す。ゴミ袋２（１）を上方に取り出すと、これに繋がっている後続のゴミ袋２（２）がゴミ袋ロール１から上方に引き出される。図３（ｃ）はこの状態を示してある。
【００３０】  次に、切断部４に沿ってゴミ袋２（１）を切り取る。後続のゴミ袋２（２）がこれ以上引き上げられないように片方の手で持ち、他方の手でゴミ袋２（１）を上方に引く。切断部４は、その幅方向の中央に形成されている長い中央スリット４ｃが上下に広がり、その両端を起点として、左右のミシン目４ａ、４ｂが幅方向に簡単に破れる。これにより、ゴミ袋２（１）を切り取ることができる。あるいは、ゴミ袋２（１）を手に持ち、他方の手の指を切断部４の中央スリット４ｃに掛けて下方に引き下ろせば、左右のミシン目４ａ、４ｂが簡単に破れ、ゴミ袋２（１）を切り離すことができる。
【００３１】      この後は、図３（ｂ）に示す場合と同様に、後続のゴミ袋２（２）の開口端２ａを広げ、当該開口端２ａを、ゴミ箱１０の開口縁端１２を覆う状態に、当該開口縁端１２に掛ける。このようにしてゴミ袋２（２）をゴミ箱１０にセットした後は、ゴミ袋２（２）にゴミが収容される。
【００３２】（実施の形態２：台所用の袋ロール）
次に、図４は本考案を適用した台所用の袋ロールを示す説明図である。本実施の形態の袋ロール２０は、長さ方向Ｌに多数枚の矩形の袋２２（２２（１）、２２（２）・・・）が繋がった構成の袋テープ２３を、円筒形状の芯材２１にロール状に巻き取ったものである。各袋２２の間には、それぞれ、幅方向Ｗの全体に亘って直線状に延びる切断部２４が形成されている。
【００３３】  各切断部２４に対して、袋テープ２３の先頭側に一定距離だけ離れた部位には、各袋２２の底を規定しているシール部２５が形成されている。シール部２５は、幅方向Ｗの全体に亘って直線状に延びる熱融着部である。先頭側の袋２２（１）は、後続の袋２２（２）との間に位置する切断部２４に沿って切り取ることができる。先端側の袋２２（１）を切り取ると、切断部２４が、後続の袋２２（２）の開口端２２ａとなる。
【００３４】  各切断部２４は、幅方向Ｗの両側に形成された左右のミシン目２４ａ、２４ｂと、これらの間に形成された所定長さの中央スリット２４ｃから構成されている。ミシン目２４ａ、２４ｂを構成している細かなミシン目スリット２４ｄに比べて、中央スリット２４ｃは十分に長いスリットである。
【００３５】  ここで、袋テープ２３は、筒状に形成したプラスチックフィルム２６、例えばポリエチレンフィルムから形成されている。筒状のプラスチックフィルム２６は帯状となるように平坦に重ねられている。すなわち、袋ロール２０の巻き取り中心側に位置する内側フィルム部分２７と、巻き取り外周側に位置する外側フィルム部分２８とが相互に重ね合わされている。
【００３６】  ここで、プラスチックフィルム２６として、片面エンボス加工が施されたプラスチックフィルムが用いられている。また、各袋２２における内側フィルム部分２７においては、
その巻き取り中心側の外側表面２７ａがエンボス加工面とされている。これに対して、巻き取り外周側の外側フィルム部分２８では、その袋内側表面２８ａがエンボス加工面とされている。
【００３７】  このように、袋ロール２０において、巻き取られている袋テープ２３の外側表面は、一方がエンボス加工面になる。また、各袋２２において、その袋内側表面２８ａの一方がエンボス加工面となる。プラスチックフィルムの平坦な表面同士が密着した状態になることがない。したがって、袋ロール２０からの袋２２の引き出しが容易であり、袋２２の口も簡単に開けることができる。
【００３８】（その他の実施の形態）
本考案は、ゴミ袋、台所用の袋以外の各種の用途に用いる袋に対しても同様に適用可能である。
【符号の説明】
【００３９】１    ゴミ袋ロール
２    ゴミ袋
２ａ  開口端
２（１）  先頭側のゴミ袋
２（２）  後続のゴミ袋
３    ゴミ袋テープ
４    切断部
４ａ  ミシン目
４ｂ  ミシン目
４ｃ  中央スリット
４ｄ  ミシン目スリット
５    シール部
６    プラスチックフィルム
６ａ〜６ｆ  折り目
１０  ゴミ箱
１１  底面
１２  開口縁端
２０  袋ロール
２１  芯材
２２  袋
２２ａ  開口端
２２（１）  先頭側の袋
２２（２）  後続の袋
２３  袋テープ
２４  切断部
２４ａ  ミシン目
２４ｂ  ミシン目
２４ｃ  中央スリット
２４ｄ  ミシン目のスリット
２６  プラスチックフィルム
２７  内側フィルム部分
２７ａ  外側表面（エンボス加工面）
２８  外側フィルム部分
２８ａ  袋内側表面（エンボス加工面）
Ｌ    長さ方向
Ｗ    幅方向
Ｗ１  幅寸法
Ｗ２  幅寸法
【図１】
0003234041.tif 000003
【図２】
0003234041.tif 000004
【図３】
0003234041.tif 000005
【図４】
0003234041.tif 000006